(57)【要約】【課題】チャンネル切替時におけるチャンネル切替に違和感がないようにすること。【解決手段】表示準備手段２５などは、表示手段３０に表示している放送チャンネルから他の放送チャンネルに変更するチャンネル操作があった場合、この表示手段３０に、簡易表示データ１５に基づいて他の放送チャンネルに対応する上記簡易表示画像を表示させている間に、上記他の放送チャンネルをその表示手段３０に表示するための準備を行っている。【選択図】図３
2008205575.tif 000002
【特許請求の範囲】
【請求項１】
複数の放送チャンネルの表示に用いる放送データを配信する配信装置と、
前記配信装置が配信した前記放送データを受信するとともに、受信した前記放送データに基づいて前記複数の放送チャンネルうちから選択された所望の放送チャンネルを表示する受信表示装置と
を有する放送システムにおいて、
前記配信装置は、
前記複数の放送チャンネルの表示内容を各々簡素化して表した複数の簡易表示画像の表示に用いる簡易表示データ及び前記放送データを配信する放送配信手段を備え、
前記受信表示装置は、
前記放送配信手段から配信された前記簡易表示データ及び、前記放送データを受信する受信手段と、
前記放送データに基づいて前記複数の放送チャンネルのうちから選択された所望の放送チャンネルを表示する表示手段と、
前記表示手段に表示している前記放送チャンネルから他の放送チャンネルに変更するチャンネル操作があった場合、前記表示手段に、前記簡易表示データに基づいて、前記他の放送チャンネルに対応する前記簡易表示画像を表示させている間に、前記他の放送チャンネルを前記表示手段に表示するための準備を行う表示準備手段と
を備えることを特徴とする放送システム。
【請求項２】
請求項１に記載の放送システムにおいて、
前記表示準備手段は、
前記受信手段によって受信された、前記他の放送チャンネルに対応する前記他の放送データを格納しておくバッファと、
前記表示手段に、前記バッファからの前記簡易表示データに基づく前記簡易表示画像を表示させている間に、１つの前記受信手段によって、前記他の放送チャンネルの表示に用いる他の放送データを受信させる受信制御手段と、
前記表示手段に表示している前記簡易表示画像に代えて、１つの前記受信手段によって受信した前記他の放送データに基づく前記他の放送チャンネルを、前記表示手段に表示させる表示切替手段と
を備えることを特徴とする放送システム。
【請求項３】
請求項１記載の放送システムにおいて、
前記表示準備手段は、
前記受信手段とは独立して、前記放送配信手段から配信された前記放送データを受信する他の受信手段と、
前記表示手段に表示している前記簡易表示画像に代えて、前記他の受信手段によって受信された前記他の放送データに基づく前記他の放送チャンネルを、前記表示手段に表示させる表示切替手段と
を備えることを特徴とする放送システム。
【請求項４】
請求項１記載の放送システムにおいて、
前記表示手段の表示を前記簡易表示画像から前記他の放送チャンネルに切り替える際に、前記簡易表示画像に画像処理を施し、前記他の放送チャンネルに特定の視覚的効果を与えつつ遷移させる画像処理手段
を有することを特徴とする放送システム。
【請求項５】
配信装置によって配信された、複数の放送チャンネルの表示に用いる放送データ及び、前記複数の放送チャンネルを各々簡素化して表した複数の簡易表示画像の表示に用いる簡易表示データを受信するとともに、受信した前記放送データに基づいて前記複数の放送チャンネルうちから選択された所望の放送チャンネルを表示する受信表示装置において、
前記配信装置によって配信された前記簡易表示データ及び前記放送データを受信する受信手段と、
前記放送データに基づいて前記複数の放送チャンネルのうちから選択された所望の放送チャンネルを表示する表示手段と、
前記表示手段に表示している前記放送チャンネルを他の放送チャンネルに変更するチャンネル操作があった場合、前記表示手段に、前記簡易表示データに基づいて、前記他の放送チャンネルに対応する前記簡易表示画像を表示させている間に、前記他の放送チャンネルを前記表示手段に表示するための準備を行う表示準備手段と
を備えることを特徴とする受信表示装置。
【請求項６】
請求項５に記載の受信表示装置において、
前記表示準備手段は、
前記表示手段に、前記他の放送チャンネルに対応する前記簡易表示画像を表示させている間に、１つの前記受信手段によって、前記他の放送チャンネルに用いる他の放送データを受信させる受信制御手段と、
前記受信手段によって受信された前記他の放送データを格納しておくバッファと、
前記表示手段に表示している前記簡易表示画像に代えて、前記バッファから読み出した前記他の放送データに基づく前記他の放送チャンネルを、前記表示手段に表示させる表示切替手段と
を備えることを特徴とする受信表示装置。
【請求項７】
請求項５又は請求項６記載の受信表示装置において、
前記受信表示装置は、
前記受信手段とは独立して、前記放送配信手段から配信された前記簡易表示データ及び、前記放送データを受信する他の受信手段と、
前記表示手段に表示している前記簡易表示画像に代えて、前記他の受信手段によって受信された前記他の放送データに基づく前記他の放送チャンネルを、前記表示手段に表示させる表示切替手段と
を備えることを特徴とする受信表示装置。
【請求項８】
請求項５又は請求項６記載の受信表示装置において、
前記表示手段の表示を前記簡易表示画像から前記他の放送チャンネルに切り替える際に、前記簡易表示画像及び前記他の放送チャンネルに対して所望の画像処理を施しつつ前記簡易表示画像及び前記他の放送チャンネルを合成する合成手段
を有することを特徴とする受信表示装置。
【請求項９】
複数の放送チャンネルの表示に用いる放送データを配信する配信装置と、
前記配信装置が配信した前記放送データを受信するとともに、受信した前記放送データに基づいて前記複数の放送チャンネルうちから選択された所望の放送チャンネルを表示する受信表示装置と
を有する放送システムの送受信表示方法において、
前記配信装置は、
放送配信手段によって、前記複数の放送チャンネルの表示内容を各々簡素化して表した複数の簡易表示画像の表示に用いる簡易表示データ及び前記放送データを配信する放送配信ステップを実行し、
前記受信表示装置は、
受信手段によって、前記放送配信手段から配信された前記簡易表示データ及び、前記放送データを受信する受信ステップと、
表示手段に、前記放送データに基づいて、前記複数の放送チャンネルのうちから選択された所望の放送チャンネルを表示する表示ステップと、
前記表示手段に表示している前記放送チャンネルから他の放送チャンネルに変更するチャンネル操作があった場合、前記表示手段に、前記簡易表示データに基づいて、前記他の放送チャンネルに対応する前記簡易表示画像を表示させている間に、表示準備手段によって、前記他の放送チャンネルを前記表示手段に表示するための準備を行う表示準備ステップと
を実行することを特徴とする放送システムの送受信表示方法。
【発明の詳細な説明】
【技術分野】
【０００１】
本発明は、複数の放送を配信し、これら複数の放送を短時間で切り替え可能とする放送システム、表示装置及び放送システムの送受信表示方法に関する。
【背景技術】
【０００２】
従来より、地上波のいわゆるアナログテレビジョン放送では広帯域を使用しているため、複数の放送チャンネルの信号が同時に受信装置に到達しているので、受信装置において番組を切り替えたときに、放送されている番組を高速に閲覧すること（以下「ザッピング」という）ができる。
【０００３】
一方、近年、デジタルテレビジョン放送（以下「デジタル放送」という）が開始され、これらのデジタル放送を受信するデジタル放送受信機の開発が盛んである。デジタル放送では、高画質な映像を実現できる上、多チャンネルの提供が可能であり、さらに付加的なデータを送信することにより様々なサービスを提供することも可能である。
【０００４】
地上波放送のようなアナログ放送受信機では、異なる周波数のチャンネルのテレビジョンチャンネルを切り替える場合、単純に周波数を設定するだけの処理だけで短時間で別のテレビジョンチャンネルを変更して表示することができる。一方、デジタル放送受信機では、周波数の設定、映像識別情報の取得、抽出する映像データの選択等の処理をシーケンシャルに行うために処理時間が増え、テレビジョンチャンネルの切り替え時間がかかっている。
【０００５】
従来、このようなデジタル放送においてデジタル放送のチャンネル切り替えにかかる時間を低減する方法としては、表示中の放送チャンネルのチャンネルストリーム中に、別の放送チャンネルのチャンネルストリームのＩＤなどを含めておくことで、表示中の放送チャンネルから別の放送チャンネルに切り替える手順を減らし、放送チャンネルの切り替えにかかる時間を短くする手法が存在していた（特許文献１参照）。
【０００６】
【特許文献１】特開２００２−２９０９３４号公報
【発明の開示】
【発明が解決しようとする課題】
【０００７】
しかしながら、このようなチャンネル切り替え時間の低減方法によれば、上述のようなチャンネルストリームのＩＤなどを用いて、表示中の放送チャンネルから別の放送チャンネルに切り替える際における手順を減らすことで、放送チャンネルの切り替えにかかる無表示時間を短くできるものの、この無表示時間を完全になくすことはできなかった。このため、従来、このように表示中のチャンネルから別のチャンネルに切り替える際に、その表示切り替えに違和感が生じていた。
【０００８】
本発明が解決しようとする課題には、上記した問題が一例として挙げられる。
【課題を解決するための手段】
【０００９】
上記課題を解決するために、請求項１記載の発明は、複数の放送チャンネルの表示に用いる放送データを配信する配信装置と、前記配信装置が配信した前記放送データを受信するとともに、受信した前記放送データに基づいて前記複数の放送チャンネルうちから選択された所望の放送チャンネルを表示する受信表示装置とを有する放送システムにおいて、前記配信装置は、前記複数の放送チャンネルの表示内容を各々簡素化して表した複数の簡易表示画像の表示に用いる簡易表示データ及び前記放送データを配信する放送配信手段を備え、前記受信表示装置は、前記放送配信手段から配信された前記簡易表示データ及び、前記放送データを受信する受信手段と、前記放送データに基づいて前記複数の放送チャンネルのうちから選択された所望の放送チャンネルを表示する表示手段と、前記表示手段に表示している前記放送チャンネルから他の放送チャンネルに変更するチャンネル操作があった場合、前記表示手段に、前記簡易表示データに基づいて、前記他の放送チャンネルに対応する前記簡易表示画像を表示させている間に、前記他の放送チャンネルを前記表示手段に表示するための準備を行う表示準備手段とを備えることを特徴とする。
【００１０】
上記課題を解決するために、請求項５記載の発明は、配信装置によって配信された、複数の放送チャンネルの表示に用いる放送データ及び、前記複数の放送チャンネルを各々簡素化して表した複数の簡易表示画像の表示に用いる簡易表示データを受信するとともに、受信した前記放送データに基づいて前記複数の放送チャンネルうちから選択された所望の放送チャンネルを表示する受信表示装置において、前記配信装置によって配信された前記簡易表示データ及び前記放送データを受信する受信手段と、前記放送データに基づいて前記複数の放送チャンネルのうちから選択された所望の放送チャンネルを表示する表示手段と、前記表示手段に表示している前記放送チャンネルを他の放送チャンネルに変更するチャンネル操作があった場合、前記表示手段に、前記簡易表示データに基づいて、前記他の放送チャンネルに対応する前記簡易表示画像を表示させている間に、前記他の放送チャンネルを前記表示手段に表示するための準備を行う表示準備手段とを備えることを特徴とする。
【００１１】
上記課題を解決するために、請求項９記載の発明は、複数の放送チャンネルの表示に用いる放送データを配信する配信装置と、前記配信装置が配信した前記放送データを受信するとともに、受信した前記放送データに基づいて前記複数の放送チャンネルうちから選択された所望の放送チャンネルを表示する受信表示装置とを有する放送システムの送受信表示方法において、前記配信装置は、放送配信手段によって、前記複数の放送チャンネルの表示内容を各々簡素化して表した複数の簡易表示画像の表示に用いる簡易表示データ及び前記放送データを配信する放送配信ステップを実行し、前記受信表示装置は、受信手段によって、前記放送配信手段から配信された前記簡易表示データ及び、前記放送データを受信する受信ステップと、表示手段に、前記放送データに基づいて、前記複数の放送チャンネルのうちから選択された所望の放送チャンネルを表示する表示ステップと、前記表示手段に表示している前記放送チャンネルから他の放送チャンネルに変更するチャンネル操作があった場合、前記表示手段に、前記簡易表示データに基づいて、前記他の放送チャンネルに対応する前記簡易表示画像を表示させている間に、表示準備手段によって、前記他の放送チャンネルを前記表示手段に表示するための準備を行う表示準備ステップとを実行することを特徴とする。
【発明を実施するための最良の形態】
【００１２】
以下、本発明の一実施の形態を図面を参照しつつ説明する。
＜第１実施形態＞
図１は、第１実施形態における放送システム１の構成例を示すシステム構成図である。
この放送システム１は、配信側装置として配信装置１００（配信手段）及び受信側装置２００を有する。
配信装置１００は、デジタル放送を行う放送局に設置された配信設備の一部である。この配信装置１００は、複数の放送チャンネルの表示に用いる放送データを配信する機能を有する。なお、本実施形態では、この放送データが複数の放送チャンネルの音の出力に用いるデータであってもよいが、以下の実施形態では、この放送データが主として表示に関するものであるものと例示する。
【００１３】
配信装置１００は、複数の放送チャンネルの表示に用いる放送データを配信する機能を有する。具体的には、配信装置１００は次のような各機能を有する。この配信装置１００は、ザッピング番組生成トランスコーダ配信制御部１０（以下「トランスコーダ配信制御部」と呼ぶ）を備えている。トランスコーダ配信制御部１０は、作成済みのデジタル放送の番組内容（以下「単に「チャンネル」という）に基づいて配信可能な放送データを生成する機能を有する。
【００１４】
具体的には、このトランスコーダ配信制御部１０は、例えばザッピングデータ生成機能及び配信機能という２つの機能を有する。このザッピングデータ生成機能は、複数の放送の番組内容に基づいて、これら複数の放送チャンネルの表示内容を各々簡素化して表した複数のザッピングチャンネル（簡易表示画像）に用いるザッピングデータ（簡易表示データ）を生成する機能を有する。このザッピングチャンネルは、複数の本放送チャンネルに各々対応する複数のザッピング番組を含んでいる。上記配信機能は、これら放送データ及びザッピングデータを混在させたトランスポートストリームとし、アンテナ設備９を介して配信する機能を有する。なお、このザッピングデータは、複数のザッピングチャンネル分のデータを含んでいる。これらトランスコーダ配信制御部１０の詳細な機能については後述する。
【００１５】
受信側装置２００は、この配信装置１００が配信したその放送データを受信するとともに、受信した放送データに基づいて複数の放送チャンネルのうちから選択された所望の放送チャンネルを表示する機能を有する。
【００１６】
この受信側装置２００は、デジタル放送受信機２０（以下「受信機」という）及び表示装置３０を有する。なお、この表示装置３０は、単独で受信機２０の機能を備えている形態であってもよい。この受信機２０は、配信装置１００が配信した上記トランスポートストリームを受信し、上記放送データ及び上記ザッピングデータをデコードする機能を有する。またこの受信機２０は、これら放送データ及びザッピングデータの少なくとも一方に基づく画像を表示装置３０に表示させるための表示制御データ２７を生成する機能を有する。
【００１７】
図２は、図１に示すトランスコーダ配信制御部１０の構成例を示すブロック図である。
トランスコーダ配信制御部１０は、ザッピングチャンネル生成エンコーダ１２（以下、単に「エンコーダ」と呼ぶ）、同期装置１４及び配信装置１００を備えている。エンコーダ１２は、複数の放送番組に関する放送データ、例えば第１番組データＢ１、第２番組データＢ２及び第３番組データＢ３を、各々例えばＭＰＥＧ２（Ｍｏｔｉｏｎ  Ｐｉｃｔｕｒｅ  Ｅｘｐｅｒｔ  Ｇｒｏｕｐ  ２）方式エンコードし、これら複数の放送に関するザッピングデータ１５を生成する機能を有する。このザッピングデータ１５は、これら複数の放送番組の表示内容を簡素化して表した画像（簡易表示画像）を表示するための画像データである。本実施形態では、この画像を「ザッピングチャンネル」と呼ぶ）。このエンコーダ１２は、このように生成したザッピングデータ１５を同期装置１４に出力する。
【００１８】
この同期装置１４には、エンコーダ１２からのザッピングデータ１５以外にも、上述した第１番組データＢ１、第２番組データＢ２及び第３番組データＢ３が入力されている。この同期装置１４は、これら入力された第１番組データＢ１、第２番組データＢ２、第３番組データＢ３及びザッピングデータ１５を各々同期させる機能を有する。この同期装置１４は、このように同期させた第１番組データＢ１、第２番組データＢ２、第３番組データＢ３及びザッピングデータ１５を配信装置１００に出力する。ザッピングデータ１５は、複数のチャンネルに各々対応した複数のザッピングチャンネル分のザッピングデータを含んでいる。
【００１９】
配信装置１００（配信手段）は、これら第１番組データＢ１、第２番組データＢ２、第３番組データＢ３及びザッピングデータ１５をトランスポートストリームとし、アンテナ９を介して配信する機能を有する。この配信装置１００は、これら第１番組データＢ１、第２番組データＢ２、第３番組データＢ３及びザッピングデータ１５を所定長のパケットに分割してパケットＩＤを付加してトランスポートストリームを生成する。なお、以下の説明においては、これら第１番組データＢ１などを各々特に区別しなくてもよい場合においては、番組データ１３を用いる。
【００２０】
図３は、図１に示す受信側装置２００の構成例を簡素化して表したイメージ図である。
受信側装置２００は、１つのチューナ部２１、ザッピングチャンネル用ザッピングバッファ２３（以下「ザッピングバッファ」という）、分離部２７、チャンネル選択部２５、映像デコーダ２８及び音声デコーダ２９を有する。
【００２１】
チャンネル選択部２５は、表示装置３０を用いるユーザの操作によって所望のチャンネルを選択した場合に、その所望のチャンネルに応じたチャンネル選択信号をチューナ部２１及び分離部２７に出力する機能を有する。これらチューナ部２１及び分離部２７は、各々、このチャンネル選択信号の受け取りを契機として後述のように動作を行う。なお、本実施形態では、このユーザによる単位時間当たりのチャンネル操作の回数が規定回数以上である場合、チャンネル操作が頻繁に行われている状態を表す「ザッピング」を用いている。
【００２２】
このチャンネル選択部２５は、このようなザッピング状態にあるか否かを表すステータスフラグを管理している。このステータスフラグは、例えばステータスがザッピング状態である場合に「１」と設定され、このステータスが通常拝聴状態である場合に「０」と設定される。
【００２３】
上記チューナ部２１（受信手段）は、配信装置１００から配信されたザッピングデータ１５及び各番組データ１３を受信する機能を有する。具体的には、このチューナ部２１は、チャンネル選択部２５の制御によって、上記アンテナ９を経由して、上記配信装置１００からトランスポートストリームとして配信されたザッピングデータ１５及び各番組データＢ１を受信する機能を有する。
【００２４】
このチューナ部２１は、受信したトランスポートストリーム群に含まれるパケット群から、各パケットＩＤに基づいて、番組データ１３及びザッピングデータ１５を各々復元する。このチューナ部２１は、各番組データ１３を分離部２７に出力する。一方、このチューナ部２１は、受信したトランスポートストリーム群の各パケットＩＤに基づいて、ザッピングデータ１５を復元する。このチューナ部２１は、このザッピングデータ１５をザッピングバッファ２３に出力する。このザッピングバッファ２３は、その記憶領域内にザッピング用領域を有する。このザッピング用領域は、ザッピングデータ１５を格納可能な記憶領域である。
【００２５】
上記分離部２７は、チャンネル選択部２５からのチャンネル選択信号に応じて、ザッピングバッファ２３のザッピング用領域からザッピングデータ１５を読み出す。この分離部２７は、この読み出したザッピングデータ１５から、ザッピングチャンネル映像データ１５ａとザッピングチャンネル音データ１５ｂとを分離する機能を有する。
【００２６】
また、この分離部２７は、チャンネル選択部２５からのチャンネル選択信号に応じて、チューナ部２１から番組データ１３を取得する。この分離部２７は、この取得した番組データ１３から、番組映像データ１３ａ及び番組音データ１３ｂを分離する機能を有する。
【００２７】
映像デコーダ２８（以下「デコーダ」と呼ぶ）は、上記表示制御データ（番組映像データ１３ａ）を、例えばＭＰＥＧ２方式でデコードする機能を有する。一方、音デコーダ２９は、上記音出力データ（番組音データ１３ｂ）を、例えばＭＰＥＧ２方式でデコードする機能を有する。
【００２８】
表示装置３０（表示手段）は、ザッピングデータ１５や番組データ１３に基づいて複数の放送チャンネルのうちから選択された所望の放送チャンネルを表示する機能を有する。この表示装置３０は、このような映像を表示する表示部のみならず、音を出力するスピーカを有する。この表示装置３０は、受信機２０からのデコード後の表示制御データ（上記表示制御データ２７に相当）及びデコード後の音出力制御データを受け取り、デコード後の表示制御データに基づく映像を表示部に表示する一方、この映像に同期してデコード後の音出力制御データに基づく音を出力する機能を有する。
【００２９】
第１実施形態における放送システム１は以上のような構成であり、次に図１〜図３を用いつつ放送システム１の動作例について説明する。以下では、配信側処理と受信側処理とに分けて説明する。
【００３０】
＜配信側処理＞
配信装置１００は、トランスコーダ配信制御部１０のザッピングデータ生成機能によって、複数の放送の番組内容に基づいて、これら複数の放送チャンネルを各々簡素化して表した複数のザッピングチャンネル（簡易表示画像）に用いるザッピングデータ１５（簡易表示データ）を生成する機能を有する。
【００３１】
さらにこの配信装置１００は、トランスコーダ配信制御部１０の配信機能によって、これら複数の放送チャンネルの番組データ１３及びザッピングデータ１５を、例えばＭＰＥＧ２方式でエンコードした後、トランスポートストリームとし、アンテナ設備９を介して配信する。
【００３２】
図４は、受信側装置２００の動作例を示すフローチャートである。このフローチャートにおいては、例えばユーザが第１チャンネルから第２チャンネルに切り替えることを例示している。
＜受信側処理＞
受信側装置２００では、受信機２０によって、このようなトランスポートストリームを受信し、この受信機２０が表示装置３０に対して表示制御データ２７を出力する。従って表示装置３０は、この表示制御データ２７に基づいて第１チャンネルを表示したり音を出力している。
【００３３】
ここで、表示装置３０が表示する第１チャンネルにおいては、その途中、例えば、上記第１チャンネルのスポンサーに関連するコマーシャルが挿入される場合がある。このようなコマーシャルが挿入されると、ユーザによっては、このコマーシャルを見るよりもその他のチャンネルに興味が沸いてしまい、図示しないリモートコントローラを用いて上記第２のチャンネルに切り替える行為を行う場合がある。
【００３４】
チャンネル選択部２５は、このようなユーザのチャンネル操作に応じてチャンネル選択信号をその都度出力する。図４のステップＳ１では、チャンネル選択部２５が、ユーザによるチャンネル操作がザッピング状態であるか否かを判断する。具体的には、このチャンネル選択部２５は、ユーザによるチャンネル操作がザッピング状態であるか否かを判断するのに、例えばユーザによるチャンネル操作が単位時間当たりに規定回数以上あったか否かを判断する。
【００３５】
上記ステップＳ１においてチャンネル選択部２５は、ユーザによるチャンネル操作がザッピング状態ではないと判断した場合、ステータスを表すステータスフラグを「０（通常視聴状態）」とする。この場合、ステップＳ１１が実行される。
【００３６】
＜通常視聴モード（通常視聴状態）＞
このステップＳ１１では、まず、チャンネル選択部２５が、本放送チャンネルに対応するチャンネル選択信号をチューナ部２１に出力する。このチャンネル選択信号は、上記所望の本放送チャンネルに対応するチャンネル番号を含んでいる。
【００３７】
するとチューナ部２１は、チャンネル選択部２５の制御によって、このチャンネル選択信号が表すチャンネル番号に対応した番組データ１３及び、ザッピングデータ１５を受信する。このチューナ部２１は、このうちザッピングデータ１５をザッピングバッファ２３に出力する。このチューナ部２１からのザッピングデータ１５は、このザッピングバッファ２３の本放送用領域（図示せず）に格納される。
【００３８】
一方、上記分離部２７は、チャンネル選択部２５の制御によって、上記チューナ部２１から番組データ１３を取得する。この分離部２７は、この取得した番組１３から、映像成分に関する番組映像データ１３ａと、音成分に関する番組音データ１３ｂに分離する機能を有する。この分離部２７は、分離済みの番組映像データ１３ａを映像デコーダ２８に出力する一方、分離済みの番組音データ１３ｂを音デコーダ２９に出力する。
【００３９】
この映像デコーダ２８は、入力された番組映像データ１３ａをデコードして表示装置３０に出力する。一方、この音デコーダ２９は、入力された番組音データ１３ｂをデコードして表示装置３０に出力する。すると、ステップＳ１０では、表示装置３０は、受け取った番組音データ１３に基づいて図示しないスピーカ（音出力部）から音を出力する一方、これに同期させて、受け取った番組映像データ１３ａをデコードして表示部から本放送チャンネルを表示させる。
【００４０】
＜ユーザによるチャンネル操作＞
一方、ステップＳ１においてチャンネル選択部２５がユーザによるチャンネル操作がザッピング状態であると判断した場合、ステップＳ２では、このチャンネル選択部２５が、ユーザによるチャンネル操作に応じたザッピングチャンネルを選択すべく、このザッピングチャンネルに対応したチャンネル選択信号を出力する。なお、このチャンネル選択信号は、ユーザが選択したザッピングチャンネルを表すチャンネル番号を含んでいる。これとともにチャンネル選択部２５は、上記ステータスフラグを「１（ザッピング状態）」とする。
【００４１】
＜ザッピングモード（ザッピング状態）＞
このザッピングモードでは、チャンネル選択部２５による選択操作があった場合、所望のチャンネル（第２のチャンネル）の表示に先立って、ザッピングデータ１５に基づいて、この所望のチャンネルに対応したザッピングチャンネルを暫定的に表示装置３０に表示させるモードである。
【００４２】
チャンネル選択部２５は、上述のように出力したチャンネル選択信号によってチューナ部２１を制御し、このチューナ部２１に、まず、このチャンネル選択信号に基づくチャンネル番号に対応するザッピングチャンネルのザッピングデータ１５を受信させてある。さらにステップＳ３では、このチャンネル選択部２５は、このようにチューナ部２１によって受信されているザッピングデータ１５をザッピングバッファ２３のザッピング用領域に蓄積する。
【００４３】
ここでザッピングデータ１５は、このように指定されたチャンネル番号の本放送チャンネルの内容を簡素化した表示態様のザッピングチャンネルを表示するものである。このためザッピングデータ１５は、これと同一のチャンネル番号に対応する番組データ１３よりもデータサイズが小さい。従ってチューナ部２１は、このチャンネル番号に対応した番組データ１３の受信に必要な時間よりも短い時間で、このチャンネル番号のザッピングデータ１５を受信し終えることができる。
【００４４】
次にステップＳ４では、チャンネル選択部２５が、上記チャンネル番号に従ってザッピングデータ１５から所望のザッピングチャンネルに対応したザッピング番組を選択する。
【００４５】
具体的には、このチャンネル選択部２５が、このチャンネル選択信号によって分離部２７を制御し、この分離部２７に、そのザッピングバッファ２３のザッピング用領域に既に格納してあるザッピングデータ１５のうちから所望のチャンネル番号に対応したザッピング番組データ１５ｚを読み出させる。
【００４６】
この分離部２７は、このザッピングバッファ２３からの所望のチャンネル番号に対応したザッピング番組データ１５ｚを、映像に関するザッピング映像データ１５ｘ及び、音に関するザッピング音データ１５ｙに分離する。
【００４７】
この分離部２７は、このザッピング映像データ１５ｘを映像デコーダ２８に出力するとともに、これに同期させてザッピング音データ１５ｙを音デコーダ２９に出力する。次にステップＳ５では、この映像デコーダ２８が、ザッピング映像データ１５ｘをデコードして表示装置３０に出力する。併せてステップＳ５では、この音デコーダ２９が、ザッピング音データ１５ｙをデコードして表示装置３０に出力する。すると、このステップＳ５では、表示装置３０が、このザッピング音データ１５ｙに基づいてザッピング音を出力するとともに、そのザッピング映像データ１５ｘに基づいて、この音に同期させつつザッピング映像を表示する。
【００４８】
次にステップＳ６では、チャンネル選択部２５が、例えばユーザによるチャンネル操作の単位時間当たりの回数が規定回数以上であるか否かを判断することで、表示装置３０がユーザによるザッピング状態を継続すべきであるか否かを判断する。つまりこのチャンネル選択部２５は、ユーザによるチャンネル操作の単位時間当たりの回数が規定回数以上であるかを判断することで、このユーザがザッピング状態を継続しているか否かを判断している。
【００４９】
このステップＳ６にてチャンネル選択部２５が、チャンネル操作の単位時間当たりの回数が規定回数以上であると判断した場合には、ステータスフラグを「１（ザッピング状態）」のままとし、上述したステップＳ４を再度実行する。一方、このステップＳ６にてチャンネル選択部２５が、チャンネル操作の単位時間当たりの回数が規定回数以下であると判断した場合には、ステータスフラグを「０（通常視聴状態」）とし、次のようなステップＳ７を実行する。
【００５０】
このように受信機２０は、そのチャンネル選択部２５が、次のように表示装置３０にザッピングチャンネルを表示させている間に、このザッピングチャンネルに対応する他の放送チャンネルを表示するための準備を行っている（表示準備手段）。
【００５１】
具体的には、上記ステップＳ７では、チャンネル選択部２５が、上述と同様に、チャンネル選択信号による制御に従って分離部２７によって、ザッピングバッファ２３に蓄積済みのザッピング番組データ１５ｚを取得させている。さらにこのステップＳ７では、分離部２７が、上記同様に、このザッピング番組データ１５ｚからザッピング映像データ１５ｘを生成し、映像デコーダ２８に出力する。この分離部２７は、このザッピング番組データ１５ｚからザッピング音データ１５ｙを生成し、音デコーダ２９に出力する。
【００５２】
この映像デコーダ２８は、ザッピング映像データ１５ｘをデコードして表示装置３０に出力する。一方、この音デコーダ２９は、これと同期してザッピング音データ１５ｙをデコードして表示装置３０に出力する。従って表示装置３０は、所望のチャンネル番号に対応したザッピング番組を表示しつつ音を出力する。
【００５３】
一方、ステップＳ８では、上記ステップＳ７と並列して、上記チャンネル選択部２５が、このチャンネル番号を含むチャンネル選択信号をチューナ部２１に出力し、このチューナ部２１に、このチャンネル番号に対応した番組データ１５を受信させる。受信機２０は、このチューナ部２１によって受信した番組データ１５に基づいて表示装置３０に対して表示制御データ２７（表示制御データ、音出力制御データ）を出力する。ステップＳ１０では、表示装置３０が、この表示制御データ２７に基づいて、上述のような処理を経て、本放送チャンネル（第２チャンネル）を表示する。
【００５４】
＜ザッピング状態から通常視聴状態へ＞
ここで、ステップＳ１においてチャンネル選択部２５が、ユーザによるチャンネル操作の単位時間当たりの回数が規定回数未満となった場合には、ユーザがザッピングを終了したと判断し、ステータスを「０（通常視聴状態）」とする。併せてチャンネル選択部２５は、このように表示装置３０にザッピングチャンネルを表示させている間に、事前に、チューナ部２１（受信手段）によって他の本放送チャンネルの各番組データ１３を先読みして受信させてある。従って表示装置３０は、このようにユーザによるザッピングが終了した場合、チューナ部２１からの番組データ１３に基づいて、即座にその本放送チャンネルの番組を表示することができる。
【００５５】
上記実施形態における放送システム１は、複数の放送チャンネルの表示に用いる放送データ１３（番組データ）を配信する配信装置１００と、上記配信装置１００が配信した上記放送データを受信するとともに、受信した上記放送データに基づい上記複数の放送チャンネルうちから選択された所望の放送チャンネルを表示する受信表示装置２００とを有する放送システム１において、上記配信装置１００は、上記複数の放送チャンネルの表示内容を各々簡素化して表した複数の簡易表示画像（ザッピングチャンネル）の表示に用いる簡易表示データ及び上記放送データ１３を配信する放送配信手段１０（トランスコーダ配信制御部）を備え、上記受信表示装置２００は、上記放送配信手段１０から配信された上記簡易表示データ（ザッピングデータ）及び、上記放送データ１３（番組データ）を受信する受信手段２２（チューナ部）と、上記放送データ１３に基づいて上記複数の放送チャンネルのうちから選択された所望の放送チャンネルを表示する表示手段３０（表示装置）と、上記表示手段３０に表示している上記放送チャンネルから他の放送チャンネルに変更するチャンネル操作があった場合、上記表示手段３０に、上記簡易表示データ１５に基づいて、上記他の放送チャンネルに対応する上記簡易表示画像を表示させている間に、上記他の放送チャンネルを上記表示手段３０に表示するための準備を行う表示準備手段２５など（チャンネル選択部など）を備えることを特徴とする。
【００５６】
このようにすると、ある放送チャンネルが表示されている場合にチャンネル操作があると、表示準備手段２５など（チャンネル選択部など）は、所望の他の放送チャンネルが表示手段に表示される前に、暫定的に、表示手段３０（表示装置）に、上記他の放送チャンネルを簡素化して表した簡易表示画像（ザッピングチャンネル）を表示させている。
【００５７】
従って表示手段３０（表示装置）は、ある放送チャンネルから他の放送チャンネルに表示を切り替える際に、仮に他の放送チャンネルへの表示切り替えまでに多少の時間がかかっても、他の放送チャンネルの表示の直前に、他の放送チャンネルの簡易表示画像を表示するので、表示切れが生じず違和感のない表示態様となる。このため表示手段３０は、ある放送チャンネル、次に表示すべき他の放送チャンネルの簡易表示画像、他の放送チャンネルを順に表示するため、これに接したユーザ（視聴者）が視覚上違和感を感じないようになる。
【００５８】
上記実施形態における放送システム１では、上記構成に加えて、上記表示準備手段は、上記受信手段２１によって受信された、上記他の放送チャンネルに対応する上記他の放送データ１５を格納しておくバッファ２３（ザッピングバッファ）と、上記表示手段３０に、上記バッファ２３からの上記簡易表示データ１５（ザッピングデータ）に基づく上記簡易表示画像（ザッピングチャンネル）を表示させている間に、１つの上記受信手段２１によって、上記他の放送チャンネルの表示に用いる他の放送データを受信させる受信制御手段２５（チャンネル選択部）と、上記表示手段３０に表示している上記簡易表示画像（ザッピングチャンネル）に代えて、１つの上記受信手段２１によって受信した上記他の放送データ１３に基づく上記他の放送チャンネルを、上記表示手段３０に表示させる表示切替手段２５（チャンネル選択部）を備えることを特徴とする。
【００５９】
このようにすると、放送データ１３（番組データ）を１つの受信手段２１で受信している場合でも、チャンネル操作があった場合、次に表示すべき他の放送チャンネルを表示する前に、まず簡易表示データ１５に基づく簡易表示画像を表示手段に表示している。従って受信表示手段２００（受信表示装置）は、放送データ１３を受信する手段として１つの受信手段２１（受信部）しか有しておらず、ある放送チャンネルから他の放送チャンネルに表示を切り替える際に、仮に他の放送チャンネルへの表示切り替えまでに多少の時間がかかっても、他の放送チャンネルの表示の直前に、他の放送チャンネルの簡易表示画像を表示するので、表示切れが生じず違和感のない表示態様となる。このため受信表示手段２００は、ある放送チャンネル、次に表示すべき他の放送チャンネルの簡易表示画像、他の放送チャンネルを順に表示するため、これに接したユーザ（視聴者）が視覚上違和感を感じないようになる。
【００６０】
上記実施形態における受信表示装置２００（受信側装置）は、配信装置１００（配信装置によって配信された、複数の放送チャンネルの表示に用いる放送データ１３（番組データ）及び、上記複数の放送チャンネルを各々簡素化して表した複数の簡易表示画像（ザッピングチャンネル）の表示に用いる簡易表示データ１５（ザッピングデータ）を受信するとともに、受信した前上記記放送データ１３（番組データ）に基づいて上記複数の放送チャンネルうちから選択された所望の放送チャンネルを表示する受信表示装置２００（受信側装置）において、上記配信装置１００によって配信された上記簡易表示データ（ザッピングデータ）及び前上記放送データ１３を受信する受信手段２１（チューナ）と、上記放送データ１３に基づいて上記複数の放送チャンネルのうちから選択された所望の放送チャンネルを表示する表示手段３０（表示装置）と、上記表示手段３０に表示している上記放送チャンネルを他の放送チャンネルに変更するチャンネル操作があった場合、上記表示手段３０に、上記簡易表示データ１５に基づいて、前記他の放送チャンネルに対応する前記簡易表示画像を表示させている間に、上記他の放送チャンネルを上記表示手段３０に表示するための準備を行う表示準備手段２５（チャンネル選択部）とを備えることを特徴とする。
【００６１】
このようにすると、ある放送チャンネルが表示されている場合にチャンネル操作があると、表示準備手段２５など（チャンネル選択部など）は、所望の他の放送チャンネルが表示手段に表示される前に、暫定的に、表示手段３０（表示装置）に、上記他の放送チャンネルを簡素化して表した簡易表示画像（ザッピングチャンネル）を表示させている。
【００６２】
従って表示手段３０（表示装置）は、ある放送チャンネルから他の放送チャンネルに表示を切り替える際に、仮に他の放送チャンネルへの表示切り替えまでに多少の時間がかかっても、他の放送チャンネルの表示の直前に、他の放送チャンネルの簡易表示画像を表示するので、表示切れが生じず違和感のない表示態様となる。このため表示手段３０は、ある放送チャンネル、次に表示すべき他の放送チャンネルの簡易表示画像、他の放送チャンネルを順に表示するため、これに接したユーザ（視聴者）が視覚上違和感を感じないようになる。
【００６３】
上記実施形態における受信側装置２００は、上記構成に加えて、上記表示準備手段は、上記表示手段３０に、上記他の放送チャンネルに対応する上記簡易表示画像（ザッピングチャンネル）を表示させている間に、１つの上記受信手段２１によって、上記他の放送チャンネルに用いる他の放送データを受信させる受信制御手段２５（チャンネル選択部）と、上記受信手段２１によって受信された上記他の放送データを格納しておくバッファ２３（ザッピングバッファ）と、上記表示手段３０に表示している上記簡易表示画像（ザッピングチャンネル）に代えて、上記バッファ２３から読み出した上記他の放送データに基づく上記他の放送チャンネルを、上記表示手段３０に表示させる表示切替手段２５（チャンネル選択部）とを備えることを特徴とする。
【００６４】
このようにすると、放送データ１３（番組データ）を１つの受信手段２１で受信している場合でも、チャンネル操作があった場合、次に表示すべき他の放送チャンネルを表示する前に、まず簡易表示データ１５に基づく簡易表示画像を表示手段に表示している。従って受信表示手段２００（受信表示装置）は、放送データ１３を受信する手段として１つの受信手段２１（受信部）しか有しておらず、ある放送チャンネルから他の放送チャンネルに表示を切り替える際に、仮に他の放送チャンネルへの表示切り替えまでに多少の時間がかかっても、他の放送チャンネルの表示の直前に、他の放送チャンネルの簡易表示画像を表示するので、表示切れが生じず違和感のない表示態様となる。このため受信表示手段２００は、ある放送チャンネル、次に表示すべき他の放送チャンネルの簡易表示画像、他の放送チャンネルを順に表示するため、これに接したユーザ（視聴者）が視覚上違和感を感じないようになる。
【００６５】
上記実施形態における放送システム１の送受信表示方法は、複数の放送チャンネルの表示に用いる放送データ１３（番組データ）を配信する配信装置１００と、上記配信装置１００が配信した上記放送データ１３を受信するとともに、受信した上記放送データ１３に基づいて上記複数の放送チャンネルうちから選択された所望の放送チャンネルを表示する受信表示装置２００とを有する放送システム１の送受信表示方法において、上記配信装置１００は、放送配信手段１０によって、上記複数の放送チャンネルの表示内容を各々簡素化して表した複数の簡易表示画像（ザッピングチャンネル）の表示に用いる簡易表示データ（ザッピングデータ）及び上記放送データ１３を配信する放送配信ステップを実行し、上記受信表示装置２００は、受信手段２１（チューナ）によって、上記放送配信手段１０から配信された上記簡易表示データ（ザッピングデータ）１５及び、上記放送データ１３（番組データ）を受信する受信ステップと、表示手段３０（表示装置）に、上記放送データ１３に基づいて、上記複数の放送チャンネルのうちから選択された所望の放送チャンネルを表示する表示ステップと、上記表示手段３０に表示している上記放送チャンネルから他の放送チャンネルに変更するチャンネル操作があった場合、上記表示手段３０に、上記簡易表示データ１５に基づいて、上記他の放送チャンネルに対応する上記簡易表示画像を表示させている間に、表示準備手段２５など（チャンネル選択部）によって、上記他の放送チャンネルを上記表示手段３０に表示するための準備を行う表示準備ステップとを実行することを特徴とする。
【００６６】
このようにすると、ある放送チャンネルが表示されている場合にチャンネル操作があると、表示準備手段２５など（チャンネル選択部など）は、所望の他の放送チャンネルが表示手段３０に表示される前に、暫定的に、表示手段３０（表示装置）に、上記他の放送チャンネルを簡素化して表した簡易表示画像を表示させている。
【００６７】
従って表示手段３０（表示装置）は、ある放送チャンネルから他の放送チャンネルに表示を切り替える際に、仮に他の放送チャンネルへの表示切り替えまでに多少の時間がかかっても、他の放送チャンネルの表示の直前に、他の放送チャンネルの簡易表示画像を表示するので、表示切れが生じず違和感のない表示態様となる。このため表示手段３０は、ある放送チャンネル、次に表示すべき他の放送チャンネルの簡易表示画像、他の放送チャンネルを順に表示するため、これに接したユーザ（視聴者）が視覚上違和感を感じないようになる。
【００６８】
＜第１実施形態の変形例＞
第１実施形態の変形例では、第１実施形態とほぼ同様の構成でありほぼ同様の動作であることから、同一の構成及び動作については第１実施形態における図１乃至図４と同一の符号を用いるとともに、その説明を省略し、以下の説明では異なる点を中心として説明する。
【００６９】
図５は、第１実施形態の変形例における受信機２０ａの構成例を示すブロック図である。
第１実施形態の変形例では、第１実施形態とは異なり、映像デコーダ２８及び音デコーダ２９の組み合わせと分離部２７との間に、ザッピング終了時画像・音声合成部（以下「合成部」と呼ぶ）２６が設けられている。
【００７０】
上記合成部２６は、２つの映像を合成する映像合成機能を有する。具体的には、この合成部２６（合成手段）は、例えば表示装置３０の表示をザッピングチャンネルから所望のチャンネル（他の放送チャンネル）に切り替える際に、このザッピングチャンネルに画像処理を施し、上記所望のチャンネルに特定の視覚的効果を与えつつ遷移させる機能を有する。このような合成手法としては、あるチャンネル（例えば第１チャンネル）からザッピングチャンネル及びザッピングチャンネルから次のチャンネル（例えば第２チャンネル）の少なくとも一方について、例えばモーフィングにより画像が時間の経過とともに遷移する表示態様とすることを挙げることができる。
【００７１】
第１実施形態の変形例における放送システム１ａは以上のような構成であり、次に図１〜図５を参照しつつその動作例について説明する。なお、この第１実施形態の変形例においては、既に説明した第１実施形態の動作とは異なる点を中心として概要を説明する。
【００７２】
図６は、第１実施形態の変形例における放送システム１ａの動作例を示すフローチャートである。なお、このフローチャートは、第１実施形態における図４に示すフローチャートとほぼ同様であるが、ステップＳ７及びステップＳ８とステップＳ１０との間に、次のようなステップＳ９が含まれている点が異なっている。
【００７３】
このステップＳ９では、上記合成部２６が、分離部２７から受け取ったザッピング映像データ１５ａ及び番組映像データ１３ａに基づいて、例えばモーフィングにより第１チャンネルからザッピングチャンネルへ、及び、ザッピングチャンネルから第２チャンネルの少なくとも一方について、例えばモーフィングにより画像遷移がなされるように画像処理を行う。この合成部２６は、このような画像処理を施して生成した、表示装置３０に映像を表示させるための表示制御データ２７を映像デコーダ２８に出力する。
【００７４】
上記第１実施形態の変形例における放送システム１ａでは、上記構成において、上記表示手段３０（表示装置）の表示を上記簡易表示画像（ザッピングチャンネル）から上記他の放送チャンネルに切り替える際に、上記簡易表示画像（ザッピングチャンネル）に画像処理（モーフィングなど）を施し、上記他の放送チャンネルに特定の視覚的効果を与えつつ遷移させる画像処理手段（合成部）を有する。
【００７５】
このような構成によれば、簡易表示画像（ザッピングチャンネル）から他の放送チャンネル（第２チャンネル）への表示切り替えをモーフィングなどの特定の視覚的効果を用いて視覚上円滑なものとすることができる。従って視聴者（ユーザ）が、このようなザッピングチャンネルから他の放送チャンネル（第２チャンネル）への表示切替の際に違和感を感じにくくすることができる。
【００７６】
＜第２実施形態＞
図７は、第２実施形態における放送システム１ｂの一部である受信機２０ｂの構成例を示すブロック図である。
第２実施形態における放送システム１ｂは、第１実施形態及び第１実施形態の変形例とほぼ同様の構成でありほぼ同様の動作であることから、同一の構成及び動作については第１実施形態及び第１実施形態の変形例における図１乃至図４と同一の符号を用いるとともに、その説明を省略し、以下の説明では異なる点を中心として説明する。
【００７７】
上記第１実施形態では、受信機２０が１つのチューナ部２１を内蔵していたが、第２実施形態では、受信機２０ｂがさらにチューナ部２２及びセレクタ３１を内蔵している。つまり、第２実施形態における受信機２０ｂは、番組データ１３及びザッピングデータ１５を受信する手段として複数のチューナ部２１，２２（複数の受信手段）を内蔵している。なお、この受信機２０ｂは、第１実施形態における受信機２０が内蔵していたザッピングバッファ２３を備えていない点も異なっている。
【００７８】
このチューナ部２２（他の受信手段）は、上記チューナ部２１とほぼ同様の機能を有する。このチューナ部２２は、上記チューナ部２１（受信手段）とは独立して、配信側装置１００のトランスコーダ配信制御部１０（放送配信手段）から配信された番組データ１３を受信する機能を有する。なお、このチューナ部２２は、この配信側装置１００から配信されたザッピングデータ１５を受信する機能を有していてもよい。
【００７９】
また、この受信機２０ｂはセレクタ３１を備えている。このセレクタ３１は、チャンネル選択部２５からのチャンネル選択信号に基づいてチューナ部２１及びチューナ部２２のうちいずれかを選択して、選択した一方のチューナ部によって受信されているザッピングデータ１５及び番組データ１３を分離部２７に出力させる機能を有する。
【００８０】
第２実施形態における放送システム１ｂにおける受信機２０ｂは以上のような構成であり、次に図１〜図７を用いつつ放送システム１ｂの動作例について説明する。
図８は、受信側装置２００ｂの動作例を示すフローチャートである。なお、図８に示すフローチャートでは、第１実施形態における図４に示すフローチャートと同一の符号を付した箇所はほぼ同一の手順であるので、同一のステップは同一の符号を付してその説明を省略する。また、図８に示すフローチャートにおいても、第１実施形態と同様に、例えばユーザが第１チャンネル（あるチャンネル）から第２チャンネル（所望の次のチャンネル）に切り替えることを例示する。
【００８１】
図８に示すフローチャートでは、ステップＳ５と同時に並列してステップＳ５ａが実行される点、ステップＳ１１と同時に並列してステップＳ１１ａが実行される点が異なっている。
【００８２】
まずステップＳ５ａでは、ステップＳ５にてチューナ部２１が、受信済みのザッピングデータ１５に基づいてザッピングチャンネルを表示させている間に、チューナ部２２が、同時に並列して番組データ１３の１つである第２チャンネルデータＢ２（次のチャンネルデータ）を受信する。
【００８３】
一方、ステップＳ１１ａでは、ステップＳ１１にてチューナ部２２が、受信済みのザッピングデータ１５に基づいて、次に表示すべき第２チャンネルを簡易的に表したザッピングチャンネルを表示装置３０に表示させている間に、チューナ部２１が、この第２チャンネルに対応した第２チャンネルデータＢ２を受信しておく。
【００８４】
上記実施形態における受信機２０ａ（表示装置）は、上記表示準備手段は、上記受信手段２１（チューナ部）とは独立して、上記放送配信手段１０（トランスコーダ）から配信された上記放送データ１３を受信する他の受信手段２２（チューナ部）と、上記表示手段３０（表示装置）に表示している上記簡易表示画像（ザッピングチャンネル）に代えて、上記他の受信手段２２によって受信された上記他の放送データ１３に基づく上記他の放送チャンネルを、上記表示手段３０に表示させる表示切替手段２５（チャンネル選択部）とを備える。
【００８５】
このような構成によれば、チャンネル操作があった場合、次に表示すべき他のチャンネル（第２チャンネル）の表示準備が進んでいるため、上述のようにある放送チャンネル（第１チャンネル）から他の放送チャンネル（第２チャンネル）に切り替える際に表示態様が違和感がなくなっている上にさらに次のような利点がある。すなわち、受信表示手段２００（受信表示装置）は、受信手段２１（チューナ部）によって受信された簡易表示データ１５に基づく簡易表示画像を表示するや否や、他の受信手段２２（チューナ部）によって並列的に受信した他の放送データ１３を用いて他のチャンネルをより早く表示することができる。
【００８６】
＜第２実施形態の変形例＞
第２実施形態の変形例では、第２実施形態とほぼ同様の構成でありほぼ同様の動作であることから、同一の構成及び動作については第１実施形態における図１乃至図７と同一の符号を用いるとともに、その説明を省略し、以下の説明では異なる点を中心として説明する。
【００８７】
図９は、第２実施形態の変形例における受信機２０ｃの構成例を示すブロック図である。
第２実施形態の変形例では、第２実施形態とは異なり、映像デコーダ２８及び音デコーダ２９の組み合わせと分離部２７との間に、ザッピング終了時画像・音声合成部（以下「合成部」と呼ぶ）２６が設けられている。
【００８８】
上記合成部２６は、２つの映像を合成する映像合成機能を有する。具体的には、この合成部２６（合成手段）は、例えば表示装置３０の表示をザッピングチャンネルから所望のチャンネル（他の放送チャンネル）に切り替える際に、このザッピングチャンネルに画像処理を施し、上記所望のチャンネルに特定の視覚的効果を与えつつ遷移させる機能を有する。このような合成手法としては、第１チャンネルからザッピングチャンネル及びザッピングチャンネルから第２チャンネルの少なくとも一方について、例えばモーフィングにより画像が時間の経過とともに遷移する表示態様とすることを挙げることができる。
【００８９】
第２実施形態の変形例における放送システム１ｃは以上のような構成であり、次に図１〜図９を参照しつつその動作例について説明する。なお、この第２実施形態の変形例においては、既に説明した第２実施形態の動作とは異なる点を中心として概要を説明する。
【００９０】
図１０は、第２実施形態の変形例における受信側装置２００ｃの動作例を示すフローチャートである。なお、このフローチャートは、第２実施形態における図８に示すフローチャートとほぼ同様であるが、ステップＳ６とステップＳ１０との間に、次のようなステップＳ９が含まれている点が異なっている。
【００９１】
このステップＳ９では、上記合成部２６が、分離部２７から受け取ったザッピング映像データ１５ａ及び番組映像データ１３ａに基づいて、例えばモーフィングにより第１チャンネルからザッピングチャンネルへ、及び、ザッピングチャンネルから第２チャンネルの少なくとも一方について、例えばモーフィングにより画像遷移がなされるように画像処理を行う。この合成部２６は、このような画像処理を施して生成した、表示装置３０に映像を表示させるための表示制御データ２７を映像デコーダ２８に出力する。
【００９２】
上記第１実施形態の変形例における放送システムでは、上記構成において、上記表示手段３０（表示装置）の表示を上記簡易表示画像（ザッピングチャンネル）から上記他の放送チャンネルに切り替える際に、上記簡易表示画像（ザッピングチャンネル）に画像処理（モーフィングなど）を施し、上記他の放送チャンネルに特定の視覚的効果を与えつつ遷移させる画像処理手段（合成部）を有する。
【００９３】
このような構成によれば、ザッピングチャンネルから他の放送チャンネル（第２チャンネル）への表示切り替えをモーフィングなどの視覚的効果を用いて視覚上円滑なものとすることができる。従って視聴者（ユーザ）が、このようなザッピングチャンネルから他の放送チャンネル（第２チャンネル）への表示切替の際に違和感を感じにくくすることができる。
【００９４】
なお、本実施形態は、上記に限られず、種々の変形が可能である。以下、そのような変形例を順を追って説明する。
上記実施形態では、受信側装置２００が、一例として受信機２０，２０ａ，２０ｂ，２０ｃ及び表示装置３０を別体として含んでいる形態を採用しているが、これに限られず、受信側装置２００において表示装置３０が受信機２０を内蔵する形態であってもよい。
【図面の簡単な説明】
【００９５】
【図１】第１実施形態における放送システムの構成例を示すシステム構成図である。
【図２】図１に示すトランスコーダの構成例を示すブロック図である。
【図３】図１に示す受信側装置の構成例を簡素化して表したイメージ図である。
【図４】第１実施形態における受信側装置の動作例を示すフローチャートである。
【図５】第１実施形態の変形例における受信機の構成例を示すブロック図である。
【図６】第１実施形態の変形例における放送システムの動作例を示すフローチャートである。
【図７】第２実施形態における放送システムの一部である受信機の構成例を示すブロック図である。
【図８】第２実施形態における受信側装置の動作例を示すフローチャートである。
【図９】第２実施形態の変形例における受信機の構成例を示すブロック図である。
【図１０】第２実施形態の変形例における受信側装置の動作例を示すフローチャートである。
【符号の説明】
【００９６】
１                放送システム
１ａ              放送システム
１ｂ              放送システム
１ｃ              放送システム
１０              トランスコーダ（放送配信手段）
１３              番組データ（放送データ）
１５              ザッピングデータ（簡易表示データ）
２０              受信機（受信表示装置の一部）
２０ａ            受信機（受信表示装置の一部）
２０ｂ            受信機（受信表示装置の一部）
２０ｃ            受信機（受信表示装置の一部）
２１              チューナ部（表示準備手段、受信手段）
２２              チューナ部（表示準備手段、他の受信手段）
２３              ザッピングバッファ（表示準備手段、バッファ）
２５              チャンネル選択部（表示準備手段、表示切替手段、受信制御手段）
２６              合成部（画像処理手段）
２７              表示制御データ
３０              表示装置（表示手段）
３１              セレクタ（表示準備手段）
１００            配信装置
２００            受信側装置（受信表示装置、受信表示手段）
２００ａ          受信側装置（受信表示装置、受信表示手段）
２００ｂ          受信側装置（受信表示装置、受信表示手段）
２００ｃ          受信側装置（受信表示装置、受信表示手段）
【図１】
2008205575.tif 000003
【図２】
2008205575.tif 000004
【図３】
2008205575.tif 000005
【図４】
2008205575.tif 000006
【図５】
2008205575.tif 000007
【図６】
2008205575.tif 000008
【図７】
2008205575.tif 000009
【図８】
2008205575.tif 000010
【図９】
2008205575.tif 000011
【図１０】
2008205575.tif 000012